(57)【要約】【課題】  本体内にロースタ部を備えた加熱調理器において、ロースタ部の使用中にロースタドアのガラス板に万一手が触れても火傷する恐れがないようにする。【解決手段】  本体２内にロースタ部４を備え、該ロースタ部４はロースタ庫１１の前面開口部を塞ぐロースタドア７を備え、前部にハンドル８を備えた加熱調理器において、ロースタ部４のロースタドア７を構成するガラス板を空間７ｃを保持して二重ガラス板７ａ，７ｂとし、該二重ガラス板７ａ，７ｂの周囲をドアカバー７ｄ，下ドアカバー７ｅで覆い、二重ガラス板７ａ，７ｂ間の空間７ｃをほぼ真空にした。【選択図】図５
2008241219.tif 000002
【特許請求の範囲】
【請求項１】
本体内にロースタ部を備え、該ロースタ部はロースタ庫と、該ロースタ庫内に出入り自在に収納されたロースタ皿と、ロースタ庫の前面開口部を塞ぐロースタドアを備え、該ロースタドアはガラス板で構成し、前部にハンドルを備えた加熱調理器において、
前記ロースタドアのガラス板を空間を保持して二重ガラス板とし、該二重ガラス板の周囲をドアカバーで覆い、二重ガラス板間の空間をほぼ真空にしたことを特徴とする加熱調理器。
【発明の詳細な説明】
【技術分野】
【０００１】
本発明は、魚等を焼くロースタ部を備えた誘導加熱調理器などの加熱調理器に関するものである。
【背景技術】
【０００２】
従来の加熱調理器の一例である誘導加熱調理器を本発明において使用する図１を参照して説明する。
【０００３】
図において、１は加熱調理器を組み込むためのシステムキッチンである。
【０００４】
２は加熱調理器の本体で、システムキッチン１の天板開口穴に上面から落とし込まれ、該システムキッチン１の天板部にその外周縁部が吊り下がるように設置されており、設置後は前面の左右に配置されたロースタ部４の前面及び操作パネル５がシステムキッチン１の前面開口穴に臨み、本体２の前面から操作できるようになっている。
【０００５】
３は耐熱ガラス等からなるトッププレートで、本体２の上面に配置されており、調理用の容器（図示せず）を載置する。
【０００６】
６は加熱コイル等よりなる加熱部で、本体２内の上部左右に配置されており、トッププレート３によって覆われている。
【０００７】
４はロースタ部で、加熱部６の下方で本体２の左側（右側でもよい）に配置されており、内部にロースタ庫が設置され、その中に電気ヒータやロースタ皿，ロースタ皿内に載置される焼網（いずれも図示せず）等が備えられ、前面開口部をロースタドア７で塞いでいる。８はロースタドア７の前面に取り付けたハンドルである。
【０００８】
９，１０は本体２の後部右側と左側に配置した吸気口および排気口である。
【０００９】
このような従来の加熱調理器において、近年は該加熱調理器を設置するシステムキッチン１が、会話を楽しみながら調理する等の住環境の変化から、システムキッチン１全体をオープンにして見せるようになり、調理する人のみならず、それ以外の人や子供などが気軽に入って調理を一緒に楽しむようになってきた。
【００１０】
このため、安全性への関心も非常に高まっており、調理中の火傷についてもその一つである。このような環境下で上記した従来の加熱調理器では、前記したように本体２の前面にロースタ部４のロースタドア７が配置されているため、ロースタドア７に調理する人のみならず、それ以外の人や子供などが容易に触れてしまうことがある。
【００１１】
このとき、ロースタドア７は、ロースタ庫内の電気ヒータによる輻射熱によって加熱されて熱くなっており、特にロースタドア７が一枚のガラス板で構成されている場合にはガラス板に手等が触れると火傷をする恐れがあった。
【００１２】
そこで、上記した誘導加熱調理器においては、特許文献１示すように、ロースタドアのガラス板を空間を保持して二重ガラス板とし、該二重ガラス板の周囲の上下を開放して二重ガラス板間の空間内に下方から上方に向けて冷却空気を流通させ、前面側のガラス板の温度が上昇するのを防止するようにしたものが提案されている。
【００１３】
また、加熱部の熱源としてガスを用いた加熱調理器においても、特許文献２，３，４に示すように、特許文献１と同様にロースタドアのガラス板を空間を保持して二重ガラス板とし、該二重ガラス板の周囲の上下を開放して二重ガラス板間の空間内に下方から上方に向けて冷却空気を流通させ、前面側のガラス板の温度が上昇するのを防止するようにしたものが提案されている。
【００１４】
【特許文献１】特開２００５−３０００５３号公報
【特許文献２】特開２００３−１８５１５３号公報
【特許文献３】実開昭５１−５９３６５号公報
【特許文献４】実開昭５８−２５０８号公報
【発明の開示】
【発明が解決しようとする課題】
【００１５】
上記したように、本体の上面にトッププレートを備え、該トッププレートの下方に加熱部とロースタ部を備えた誘導加熱調理器等の加熱調理器においては、一般的に本体内に前記した加熱部やロースタ部を駆動する制御基板を冷却するための送風ファンを備えており、該送風ファンからの冷却風によって前記制御基板を冷却し、その冷却後の冷却風をロースタ部からの排気と合流させてロースタ部からの排気を促すことが行われている。
【００１６】
このとき、特許文献１に示すものにおいては、前記送風ファンからの冷却風の一部を二重ガラス板間の空間内に流通させて前面側のガラス板の温度が上昇するのを防止するようにしているため、ロースタ部の通電終了等によって送風ファンが停止してしまうと、二重ガラス板の空間内の空気の流通がなくなり、前面のガラス板の表面温度が上昇してしまい、このときに該ガラス板に手等が触れると火傷等を負う心配があった。
【００１７】
また、特許文献２，３，４に示すものにおいては、魚焼き等の調理中は排気ドラフトにより冷却空気が二重ガラス板間の空間内を流通して前面側のガラス板の温度上昇を防止しているが、特許文献１と同様に調理が終了すると、二重ガラス板の空間内の空気の流通がなくなり、前面のガラス板の表面温度が上昇してしまい、このときに該ガラス板に手等が触れると火傷等をする心配があった。
【課題を解決するための手段】
【００１８】
本発明は、上記の課題を解決するためになされたものであり、請求項１では、本体内にロースタ部を備え、該ロースタ部はロースタ庫と、該ロースタ庫内に出入り自在に収納されたロースタ皿と、ロースタ庫の前面開口部を塞ぐロースタドアを備え、該ロースタドアはガラス板で構成し、前部にハンドルを備えた加熱調理器において、前記ロースタドアのガラス板を空間を保持して二重ガラス板とし、該二重ガラス板の周囲をドアカバーで覆い、二重ガラス板間の空間をほぼ真空にしたものである。
【発明の効果】
【００１９】
本発明によれば、ロースタ部のロースタドアを構成するガラス板を空間を保持して二重ガラス板とし、該二重ガラス板の周囲をドアカバーで覆い、二重ガラス板間の空間をほぼ真空にしたので、住環境の変化からシステムキッチンが調理する人のみならず、それ以外の人や子供などが気軽に入って調理を一緒に楽しみ、また安全性への関心も非常に高まっている中で、加熱部やロースタ部の制御部を冷却する送風ファンが止まったり、また、加熱部の熱源としてガスを用いたものにおいて、排気ドラフトが働かなくなる等のことがあっても、ロースタドアの前面ガラス板は高温になることがなく、調理中に前面ガラス板に手等が触れても火傷する恐れがなくなり、安心して調理を楽しむことができる。
【発明を実施するための最良の形態】
【００２０】
以下、本発明の一実施例を図面に沿って説明する。
【００２１】
図１は本発明の一実施例である誘導加熱調理器をシステムキッチンに組み込んだ状態の斜視図、図２は同ロースタ部の縦断面図、図３は同ロースタ部のロースタドアを手前に引いた状態の説明図、図４は同ロースタドアの正面図、図５は同ロースタドアの縦断面図、図６は同ロースタドアを真空引きしている状態の説明図である。
【００２２】
なお、図１については、上記した従来技術で説明した通りであり、説明を省略する。
【００２３】
図２から図５において、４はロースタ部で、図１で説明したように加熱部６の下方で本体２の左側に配置されており、内部に前面が開口したロースタ庫１１が設置され、その上下に上発熱体１２，下発熱体１３が略水平状態に設けられており、後方上部に本体２の排気口１０に連なる排気出口１４が開口している。
【００２４】
１５はロースタ皿で、ロースタ庫１１内にその前面開口部から出し入れ自在に収納されており、その中に魚等の被調理物１６を載せる焼網１７が備えられている。
【００２５】
７はロースタドアで、ロースタ皿１５の前面またはロースタ皿１５を保持する保持部材（図示せず）に取り付けられており、ロースタ庫１１の前面開口部を塞ぐものである。
【００２６】
図５は、このロースタドア７の詳細を示しており、二枚の耐熱性のあるガラス板７ａ，７ｂを空間７ｃを保持して対面させ、その上面及び左右の開口部をドアカバー７ｄで覆い、下面の開口部を下ドアカバー７ｅで覆い、二重ガラス板として空間７ｃを密封し、その後、空間７ｃを後記する真空引き装置１９により真空にしている。
【００２７】
図６は、前記二重ガラス板間の空間７ｃを真空にする際の説明図を示しており、ドアカバー７ｄの上面の一部に真空引きパイプ２０の一側を接続し、その他側に真空引き装置
１９を接続し、該真空引き装置１９を作動させて空間７ｃをほぼ真空にし、その後、真空引きパイプ２０を取り外して接続部を封止する。
【００２８】
なお、７ｆはロースタドア７をロースタ皿１５へ取り付けるための取り付け部である。８はロースタドア７の前面下部に水平状態に取り付けたハンドルである。
【００２９】
１８はサーミスタ等の温度検知手段で、ロースタ庫１１の前面開口部側の上部に設けられ、ロースタ庫１１内の温度を検知して上発熱体１２，下発熱体１３等を制御するものである。
【００３０】
２１は送風ファンで、加熱部６及びロースタ部４の上発熱体１２，下発熱体１３を駆動する制御基板（図示せず）を冷却し、かつ、ロースタ部４の排気出口１４からの排気をスムーズに排出する役目をする。
【００３１】
本発明は上記の構成よりなり、次にその動作について簡単に説明する。なお、加熱部６を使用しての調理については、本発明と特に関係ないので説明を省略する。
【００３２】
まず、使用者がロースタドア７のハンドル８を手前に引き、ロースタ皿１５及び焼網
１７をロースタ庫１１から引き出し、焼網１７上に魚等の被調理物１６を載せ、ロースタドア７のハンドル８を押し込み、ロースタ皿１５及び焼網１７をロースタ庫１１内に収納する。
【００３３】
その後、操作パネル５を操作すると、制御回路（図示せず）により上発熱体１２，下発熱体１３に通電され、調理が開始する。
【００３４】
調理中は、温度検知手段１８によってロースタ庫１１内の温度が検知され、上発熱体
１２，下発熱体１３及び送風ファン２１への通電等が制御され、被調理物１６の調理が進行するとともに、被調理物１６から発生する煙や臭気はロースタ庫１１の上方後部の排気出口１４から外部に排出される。
【００３５】
調理が終了した後は、ロースタドア７のハンドル８を手前に引き、ロースタ皿１５及び焼網１７をロースタ庫１１から引き出し、焼網１７上の被調理物１６を皿に移し、再び、ロースタドア７のハンドル８を押し込み、ロースタ皿１５及び焼網１７をロースタ庫１１内に収納する。
【００３６】
上記調理に際し、本発明によれば、ロースタ部４のロースタドア７を構成するガラス板７ａ，７ｂを空間７ｃを保持して二重ガラス板とし、該二重ガラス板の周囲をドアカバー７ｄ，下ドアカバー７ｅで覆い、二重ガラス板間の空間７ｃをほぼ真空にしたので、調理中にロースタドア７の前面側のガラス板７ｂは高温になることがなくなり、該ガラス板
７ｂに手等が触れても火傷する恐れがなく、安心して調理を楽しむことができる。
【００３７】
また、ロースタ部４での調理が終了した後、送風ファン２１が停止しても、前面のガラス板７ｂの表面温度が上昇することはなくなり、該ガラス板７ｂに手等が触れても火傷等を負うという心配がなくなるものである。
【００３８】
なお、上記の説明では、誘導加熱調理器を例にとって説明したが、加熱部の熱源がガスであって、かつ、送風ファンを備えていない加熱調理器であっても上記と同様に前面のガラス板７ｂの表面温度が上昇することはなくなり、該ガラス板７ｂに手等が触れても火傷等を負うという心配がなくなるものである。
【図面の簡単な説明】
【００３９】
【図１】本発明の一実施例である誘導加熱調理器をシステムキッチンに組み込んだ状態の斜視図である。
【図２】同ロースタ部の縦断面図である。
【図３】同ロースタ部のロースタドアを手前に引いた状態の説明図である。
【図４】同ロースタドアの正面図である。
【図５】同ロースタドアの縦断面図である。
【図６】同ロースタドアを真空引きしている状態の説明図である。
【符号の説明】
【００４０】
２  本体
３  トッププレート
４  ロースタ部
６  加熱部
７  ロースタドア
７ａ，７ｂ  ガラス板
７ｃ  空間
８  ハンドル
１１  ロースタ庫
１２  上発熱体
１３  下発熱体
１５  ロースタ皿
１７  焼網
１９  真空引き装置
【図１】
2008241219.tif 000003
【図２】
2008241219.tif 000004
【図３】
2008241219.tif 000005
【図４】
2008241219.tif 000006
【図５】
2008241219.tif 000007
【図６】
2008241219.tif 000008